(57)【要約】【課題】調光信号に応じて照明器具毎に待機電力の削減が行える照明制御システムを提供する。【解決手段】照明制御システム１は、伝送線８に接続され、照明器具２の光出力を変化させる制御信号を出力する監視端末器４，５と、伝送線８から制御信号を受信して制御信号に応じた調光信号を演算生成して照明器具２に出力するとともに、当該調光信号が照明器具２の光出力を低レベルにさせる予め設定された調光率以下であるときに電源開閉手段３に対して照明器具２への電力の供給を遮断させるように制御する制御端末器７を具備している。【選択図】図１
2006185601.tif 000002
【特許請求の範囲】
【請求項１】
照明器具と；
照明器具と電源との間に接続され、オンオフすることにより照明器具へ電力が供給または照明器具への電力の供給が遮断されるように構成された電源開閉手段と；
伝送線に接続され、照明器具の光出力を変化させる制御信号を出力する監視端末器と；
前記制御信号を伝送線に出力するように制御する主制御手段と；
伝送線から前記制御信号を受信して前記制御信号に応じた調光信号を演算生成して照明器具に出力するとともに、当該調光信号が照明器具の光出力を低レベルにさせる予め設定された調光率以下であるときに電源開閉手段に対して照明器具への電力の供給を遮断させるように制御する制御端末器と；
を具備していることを特徴とする照明制御システム。
【発明の詳細な説明】
【技術分野】
【０００１】
本発明は、監視端末器および制御端末器を備えた照明制御システムに関する。
【背景技術】
【０００２】
照明器具の光出力の制御や照明器具への電源の入り切りを行う照明制御システムにおいて、例えば照度センサを用いて照明エリアの照度を一定に制御することや、リモコン装置やフェーダー等の調光制御装置を用いて、照明エリアの照度を調整させることが行われている。ここで、照度センサや調光制御装置から出力される制御信号に応じた調光信号が照明器具の高周波点灯装置に入力されている。そして、調光信号に応じて、照明器具は、消灯（調光率０％）から全光（調光率１００％）まで制御可能なものがある。
【０００３】
調光信号による照明器具の消灯は、高周波点灯装置などに電源が供給された状態であるので、僅かながら電力が消費されている。すなわち、待機電力が消費されている。近年、省資源や省電力の観点から、待機電力を削減することが求められており、この待機電力を削減できる照明制御システムが提案されている（例えば、特許文献１参照。）。
【０００４】
この従来技術の照明制御システムは、照明コントローラおよびブレーカ端末にそれぞれ通信手段が設けられ、この通信手段の検出により、全ての照明コントローラが照明器具を消灯しているときにブレーカ端末がブレーカをオフさせるものである。これにより、各高周波点灯装置への電源の供給が停止されて、待機電力が削減されるというものである。
【特許文献１】特開２０００−２８６０６４号公報（第３頁、第１図）
【発明の開示】
【発明が解決しようとする課題】
【０００５】
特許文献１の照明制御システムは、全ての照明コントローラのうちの１台でも照明器具を点灯させていると、ブレーカがオフされないので、このときに、残余の待機電力が無駄になるという欠点を有する。また、照明器具の光出力が照明エリアの照度に変化を生じさせない低レベルであっても、すなわち照明器具の調光率が略０％または低レベルの調光率であっても、ブレーカはオフされないので、照明器具等での消費電力（待機電力）が無駄であると考えられる。
【０００６】
本発明は、調光信号に応じて照明器具毎に待機電力の削減が行える照明制御システムを提供することを目的とする。
【課題を解決するための手段】
【０００７】
請求項１に記載の照明制御システムの発明は、照明器具と；照明器具と電源との間に接続され、オンオフすることにより照明器具へ電力が供給または照明器具への電力の供給が遮断されるように構成された電源開閉手段と；伝送線に接続され、照明器具の光出力を変化させる制御信号を出力する監視端末器と；前記制御信号を伝送線に出力するように制御する主制御手段と；伝送線から前記制御信号を受信して前記制御信号に応じた調光信号を演算生成して照明器具に出力するとともに、当該調光信号が照明器具の光出力を低レベルにさせる予め設定された調光率以下であるときに電源開閉手段に対して照明器具への電力の供給を遮断させるように制御する制御端末器と；を具備していることを特徴とする。
【０００８】
本発明において、特に言及しない限り、各構成は以下による。
【０００９】
照明器具は、照明用ランプおよびこの照明用ランプを調光点灯させる点灯装置を具備している。したがって、「照明器具への電力の供給または遮断」とは、点灯装置に電力が供給され、または遮断されることを意味する。また、「調光信号を照明器具に出力する」とは、点灯装置に出力することを意味する。さらに、「照明器具の光出力」とは、照明用ランプの光出力を意味する。そして、照明器具の点灯または消灯は、照明用ランプの点灯または消灯を意味する。
【００１０】
監視端末器は、例えば照明エリアの照度を検出する照度センサを具備したセンサ装置、操作子（つまみ）を具備したフェーダー等の調光操作装置（調光制御装置）およびリモコン装置から送信されたワイヤレス信号を受信して出力するワイヤレス送受信装置などで構成することができる。
【００１１】
「照明器具の光出力の低レベル」とは、照明器具による照度が照明エリアの照度に占める割合が低いことをいい、当該低レベルで照明されている照明エリアの照度と、照明器具が消灯されているときの照明エリアの照度との照度差が小さいことを意味する。
【００１２】
「予め設定された調光率以下」は、調光率０％を包含する。少なくとも調光率０％では、照明器具は消灯されている。当該調光率は、例えば０〜２４％で任意に設定することができる。
【００１３】
本発明によれば、監視端末器から出力された制御信号は、伝送線から監視端末器に対応する制御端末器で受信される。そして、当該制御信号に応じた調光信号が予め設定された調光率を上回ると、照明器具は当該調光率で調光点灯され、予め設定された調光率以下であると、照明器具への電源の供給が遮断され、照明器具が消灯するとともに、照明器具で電力が消費されなくなる。また、監視端末器に対応する制御端末器で制御信号が受信されるので、制御端末器により制御される照明器具毎に、照明器具が消灯され、照明器具での電力消費が停止される。
【発明の効果】
【００１４】
請求項１の発明によれば、監視端末器から出力された制御信号を受信する制御端末器は、当該制御信号に応じた調光信号が予め設定された調光率以下のときに当該制御端末器により制御される照明器具への電力の供給を遮断するので、当該照明器具の待機電力を削減できる。また、制御端末器により制御される照明器具毎に待機電力が削減できるので、効率的に照明制御システムの消費電力を低減することができる。
【発明を実施するための最良の形態】
【００１５】
以下、本発明の一実施の形態について、図面を参照して説明する。まず、本発明の第１の実施形態について説明する。
【００１６】
図１〜図５は、本発明の第１の実施形態を示し、図１は照明制御システムのブロック図、図２はセンサ装置の斜視図、図３は照明制御装置のブロック図、図４は主制御装置のブロック図、図５は制御端末器のブロック図である。
【００１７】
図１において、照明制御システム１は、照明器具２、電源開閉手段としてのリレー３、監視端末器としてのセンサ装置４および調光操作装置５、主制御手段としての主制御装置６および制御端末器７を有して構成されている。そして、照明器具２、センサ装置４、調光操作装置５、主制御装置６および制御端末器７は、伝送線８に接続されている。そして、照明器具２およびセンサ装置４は、天井面９に配設されている。ここで、制御端末器７およびリレー３は、一体化され、１つの制御端末器７Ａに構成されていてもよく、それぞれ別体に構成されていてもよい。
【００１８】
照明器具２は、天井面９に直付けされ、調光可能な蛍光ランプ１０を配設しているとともに、内部に蛍光ランプ１０を調光点灯させる点灯装置１１を配設している。そして、通常、複数の照明器具２が１つの制御端末器７に接続されて制御されている。複数の照明器具２は、照明エリア１２毎に、それぞれ天井面９に配設されている。この複数の照明器具２による照明により所定の照明エリア１２が形成されている。
【００１９】
点灯装置１１は、高周波点灯装置であり、制御端末器７から出力される調光制御信号例えばＰＷＭ調光信号に応じて蛍光ランプ１０を０〜１００％の調光率で点灯させる。ここで、蛍光ランプ１０は、少なくとも調光率０％のとき消灯され、調光率１００％のとき全光点灯される。すなわち、蛍光ランプ１０は、調光信号に応じて光出力が制御される。この光出力に応じて照明エリア１２の照度は変化する。
【００２０】
そして、リレー３は、照明器具２の点灯装置１１と商用交流電源Ｖｓの間に接続されている。そして、制御端末器７から駆動電圧が出力されると、リレーコイル（図示しない。）が付勢してオンし、点灯装置１１に商用交流電源Ｖｓから電力（電源）を供給させる。また、制御端末器７から駆動電圧が出力されなくなると、リレーコイルが消勢してオフし、商用交流電源Ｖｓから点灯装置１１への電力（電源）の供給を遮断させる。
【００２１】
そして、センサ装置４は、図２に示すように、センサ装置本体１３、カバー１４および取付ばね１５，１５等を有して形成されている。そして、カバー１４は、外表面１４ａに露出するようにして、照度センサ１６、人体検出センサ１７、受信素子１８、送信用ＬＥＤ１９および表示用ＬＥＤ２０などが配設されている。また、センサ装置本体１３は、内部に主制御手段としての照明制御装置２１（図示しない。）を収納し、側面１３ａに端子群２２を配設している。端子群２２は、照明制御装置２１を伝送線８に接続する出力端子などにより形成されている。
【００２２】
照度センサ１６は、照明エリア１２からの主として反射光により当該照明エリア１２の照度を間接的に検出し、照明制御装置２１に送出するように構成されている。人体検出センサ１７は、照明エリア１２に近づく人体を検出するものである。人体が検出されることにより、蛍光ランプ１０は点灯される。
【００２３】
受信素子１８は、例えばＣｄＳにより形成され、リモコン装置２３（図１に示す。）から送信される目標照度などの各種制御信号を受信して照明制御装置２１に送出するように構成されている。そして、送信用ＬＥＤ１９は、照明制御装置２１ら送出された返信信号などをリモコン装置２３に向けて送信するものである。表示用ＬＥＤ２０は、照明制御装置２１や照度センサ１６など、センサ装置４が正常に動作しているときに点灯するものである。
【００２４】
そして、照明制御装置２１は、図３に示すように、照度入力部２４、人体検出部２５、ワイヤレス受信部２６、ワイヤレス送信部２７、表示部２８、記憶部２９、伝送部３０、電源部３１および制御部３２を有して構成されている。
【００２５】
照度入力部２４は、照度センサ１６に電気接続され、照度センサ１６の出力電圧を入力して制御部３２に送出するように構成されている。ここで、照度センサ１６の出力電圧は、照明エリア１２の照度と相関している。すなわち、照度入力部２４には、照度センサ１６が検出した照明エリア１２の照度が入力される。
【００２６】
人体検出部２５は、人体検出センサ１７に接続され、人体検出センサ１７が検出した人体の検出信号を制御部３２に送出するように構成されている。制御部３２は、人体検出部２５から人体の検出信号が入力されると、蛍光ランプ１２を点灯させる照明制御信号を伝送部３０から伝送線８に伝送させる。
【００２７】
ワイヤレス受信部２６は、受信素子１８に接続され、リモコン装置２３から送信されたオンオフ制御信号や調光制御信号などの照明制御信号、目標照度の設定信号や解除信号などの外部信号およびアドレス信号などが入力され、これらを制御部３２に送出させる。
【００２８】
ワイヤレス送信部２８は、送信用ＬＥＤ１９に接続され、制御部３２から送出された返信信号を送信用ＬＥＤ１９からリモコン装置２３に向けて送信させるように構成されている。
【００２９】
表示部２８は、表示用ＬＥＤ２０に接続され、センサ装置４が正常に動作しているときに、制御部３２の制御に応じて表示用ＬＥＤ２０を点灯させるように構成されている。
【００３０】
記憶部２９は、センサ装置４、主制御装置６、照明器具２および制御端末器７などのアドレス、照明エリア１２の目標照度などの諸データが記憶される。目標照度は、例えばリモコン装置２３から設定される。
【００３１】
伝送部３０は、リモコン装置２３から送信されワイヤレス受信部２６に入力された照明制御信号などの他、制御部３２により演算生成された調光制御信号を伝送線８に出力するように構成されている。
【００３２】
電源部３１は、商用交流電源Ｖｓに接続され、交流電圧を直流電圧に変換すると共に、所定の電圧値に調整して、制御部３２やその他の回路部に駆動電源を供給するように構成されている。
【００３３】
制御部３２は、ＣＰＵおよびプログラムが格納されたＲＯＭなどを具備している。そして、制御部３２は、照度入力部２４から照度センサ１６が検出した照明エリア１２の照度を入力する。そして、照明エリア１２の照度が記憶部２９に記憶されている目標照度に略一致するように照明器具２の光出力（調光率）を変化させる調光制御信号を演算生成して、伝送部３０から伝送線８を介して主制御装置６に伝送させる。
【００３４】
また、制御部３２は、ワイヤレス受信部２６に受信素子１８から目標照度の設定信号が入力されると、この目標照度を記憶部２９に記憶させる。また、制御部３２は、人体検出部２５に人体検出センサ１７から人体の検出信号が入力されると、照明器具２を点灯させる点灯制御信号を演算生成して、伝送部３０から伝送線８を介して主制御装置６に伝送させる。その他、各種制御を行うように構成されている。
【００３５】
そして、図１において、調光操作装置５は、つまみ５ａを上下させることにより、蛍光ランプ１０の調光率を０〜１００％の間で変化させる制御信号を伝送線８に出力して、主制御装置６に伝送するように構成されている。
【００３６】
主制御装置６は、照明システム全体を統括管理するものであり、図１に示すように、伝送線８を介してそれぞれの照明エリア１２に配設されているセンサ装置４および制御端末器７に接続されている。主制御装置６は、表示部や操作部などが設けられている表面が壁面３３に露出するようにして主制御装置本体６ａが壁の内部に設置されている。
【００３７】
そして、主制御装置６は、図４に示すように、主制御部３４、電源部３５、不揮発性の記憶部３６、伝送インターフェース（Ｉ／Ｆ）部３７、外部入力インターフェース（Ｉ／Ｆ）部３８、設定操作部３２および表示部３３などを有して構成されている。
【００３８】
電源部３５は、商用交流電源Ｖｓから入力した交流電圧を直流電圧に変換すると共に所定の電圧値に調整して、主制御部３４などに電源を供給して動作させる。不揮発性の記憶部３６は、センサ装置４および照明器具２などのアドレス、照明器具２の目標照度などの各種データが記憶されている。
【００３９】
伝送Ｉ／Ｆ部３７は、伝送線８に接続され、センサ装置４、調光操作装置５および制御端末器７との間で制御信号などの送受を行うように構成されている。
【００４０】
外部入力Ｉ／Ｆ部３８は、例えば主制御装置６の表面に設けられた外部スイッチ（図示しない。）に接続されている。この外部スイッチの操作により、照明器具２の点灯または消灯が行えるものである。設定操作部３２は、アドレスの設定および目標照度などを入力するものである。また、表示部３３は、例えば照明エリア１２の照明器具２の点灯状態を表示するように構成されている。
【００４１】
主制御部３４は、ＣＰＵおよびプログラムが格納されたＲＯＭなどを具備している。そして、主制御部３４は、センサ装置４の照明制御装置２１から出力された制御信号を演算処理して、当該制御信号を伝送Ｉ／Ｆ部３７から伝送線８に出力して制御端末器７に送信する。すなわち、人体検出センサ１７が人体を検出したことによる照明器具２を点灯させる点灯制御信号が入力されると、アドレスを付与した制御信号を制御端末器７に送信させる。また、照度センサ１６が検出した照度に応じた照明器具２の光出力（蛍光ランプ１０の調光率）を変化させる照明制御信号が入力されると、アドレスを付与した制御信号を制御端末器７に送信させる。
【００４２】
また、主制御部３４は、調光操作装置５のつまみ５ａが操作されて、照明器具２の光出力（蛍光ランプ１０の調光率）を変化させる照明制御信号が入力されると、アドレスを付与した制御信号を調光操作器５に対応する制御端末器７に送信させる。
【００４３】
主制御部３４は、つまみ５ａが操作されて調光操作装置５から出力された制御信号をセンサ装置４（照明制御装置２１）から出力される制御信号に優先して処理する。そして、このときの照度センサ１６が検出している照明エリア１２の照度を仮の目標照度として不揮発性の記憶部３６および照明制御装置２１の記憶部２９にそれぞれ記憶させる。そして、主制御装置６から照明器具２を消灯させる消灯制御信号が照明器具２に送信されるまで、センサ装置４において、照明エリア１２の照度が仮の目標照度となるように制御させる。そして、一旦照明器具２が消灯されると、仮の目標照度は、不揮発性の記憶部３６および照明制御装置２１の記憶部２９から消去されるとともに、センサ装置４（照明制御装置２１）から出力される制御信号を調光操作装置５のつまみ５ａが操作されるまで、調光操作装置５から出力される制御信号に優先して処理する。
【００４４】
また、主制御部３４は、その他、各種制御を行うように構成されている。
【００４５】
そして、制御端末器７は、図１に示すように、伝送線８に接続され、伝送線８から各種制御信号を受信する。制御端末器７は、図５に示すように、伝送インターフェース（Ｉ／Ｆ）部３９、制御部４０、調光信号出力部４１、ＯＮ／ＯＦＦ信号出力部４２、不揮発性の記憶部４３および電源部４４を有して構成されている。
【００４６】
伝送Ｉ／Ｆ部３９は、伝送線８に接続され、伝送線８から制御信号を受信し、伝送線８に蛍光ランプ１０の点灯状態などの監視信号を送出するように構成されている。
【００４７】
制御部４０は、伝送Ｉ／Ｆ部３９が受信した制御信号が照明器具２を点灯または消灯させる制御信号であると判断すると、リレー３をオンさせるリレーオン信号またはリレー３をオフさせるリレーオフ信号をＯＮ／ＯＦＦ信号出力部４２に送出する。そして、リレーオフ信号を送出している状態からリレーオン信号を送出するときには、初期調光率例えば７０％の調光信号例えばＰＷＭ調光信号を調光信号出力部４１に送出するように形成されている。
【００４８】
また、制御部４０は、伝送Ｉ／Ｆ部３９が受信した制御信号が照明器具２の光出力を変化させる制御信号であると判断すると、当該制御信号に応じた調光信号を演算生成する。そして、調光信号が予め設定された調光率、例えば２４％を上回るときに、当該調光信号を調光信号出力部４１に送出する。また、調光信号が予め設定された調光率以下のときに、リレー３をオフさせるリレーオフ信号をＯＮ／ＯＦＦ信号出力部４２に送出するように形成されている。
【００４９】
そして、制御部４０は、調光信号出力部４１およびＯＮ／ＯＦＦ信号出力部４２に出力した調光信号、リレーオン信号およびリレーオフ信号に応じた蛍光ランプ１０の点灯状態を監視信号として、伝送Ｉ／Ｆ部３９から伝送線８に出力させる。監視信号は、主制御装置６に送信される。
【００５０】
調光信号出力部４１は、照明器具２の点灯装置１１に接続され、制御部４０より送出された調光信号を点灯装置１１に出力するように構成されている。点灯装置１１は、調光信号に応じた調光率で蛍光ランプ１０を点灯させる。また、点灯装置１１は、蛍光ランプ１０を調光信号によらない消灯、すなわち商用交流電源Ｖｓからの電力（電源）を遮断することによる消灯から点灯させるときに、当初、初期調光率（例えば７０％）で点灯させる。
【００５１】
ＯＮ／ＯＦＦ信号出力部４２は、リレー３のリレーコイルに接続されている。そして、制御部４０よりリレーオン信号が送出されると、リレー３のリレーコイルに駆動電圧を出力する。この駆動電圧により、リレーコイルは付勢して、リレー３がオンする。そして、商用交流電源Ｖｓから照明器具２の点灯装置１１へ電力（電源）が供給され、蛍光ランプ１０が点灯する。蛍光ランプ１０は、当初、初期調光率（例えば７０％）で点灯される。
【００５２】
また、制御部４０よりリレーオフ信号が送出されると、リレー３のリレーコイルに駆動電圧を出力しない。これにより、リレーコイルが消勢して、リレー３がオフする。そして、商用交流電源Ｖｓからの照明器具２の点灯装置１１への電力（電源）の供給が遮断され、蛍光ランプ１０は消灯する。
【００５３】
不揮発性の記憶部４３は、制御信号に対する調光信号の演算式、予め設定された調光率、初期調光率および制御端末器７および照明器具２のアドレスなどの各種データが記憶されている。
【００５４】
電源部４４は、商用交流電源Ｖｓから入力した交流電圧を直流電圧に変換すると共に所定の電圧値に調整して、制御部４０などに電源を供給して動作させる。
【００５５】
なお、制御端末器７は、調光信号出力部４１を有する調光用制御端末器およびＯＮ／ＯＦＦ信号出力部４２を有するＯＮ／ＯＦＦ用制御端末器に構成されてもよい。
【００５６】
次に、本発明の第１の実施形態の作用について述べる。
【００５７】
照明エリア１２に人が近づくと、センサ装置４の人感センサ１７により人体が検出され、照明器具２を点灯させる制御信号が照明制御装置２１から主制御装置６に送信される。主制御装置６は、当該制御信号がセンサ装置４に対応する制御端末器７に送信されるようにアドレスを付与した制御信号を伝送線８に送出する。そして、当該制御信号は、センサ装置４に対応する制御端末器７で受信される。
【００５８】
制御端末器７の制御部４０は、リレーオン信号をＯＮ／ＯＦＦ信号出力部４２に出力するとともに、初期調光率７０％の調光信号を調光信号出力部４１に出力する。
【００５９】
ＯＮ／ＯＦＦ信号出力部４２は、リレーオン信号に基づき駆動電圧を出力してリレー３をオンさせる。これにより、商用交流電源Ｖｓの交流電圧が照明器具２の点灯装置１１に入力される。そして、点灯装置１１は、調光信号出力部４１から出力すされた初期調光率７０％で蛍光ランプ１０を点灯させる。そして、蛍光ランプ１０からの放射光により、照明エリア１２が照明される。
【００６０】
照明エリア１２の照度は、センサ装置４の照度センサ１６により検出される。そして、照明制御装置２１の制御部３２は、照度センサ１６により検出された照度が記憶部２９に記憶されている目標照度となるように、照明器具２の光出力を変化させる制御信号を演算生成し、伝送部３０から伝送線８に出力させる。当該制御信号は、主制御装置６からセンサ装置４に対応する制御端末器７に送信される。
【００６１】
制御端末器７の制御部４０は、制御信号に応じた調光信号を演算生成する。そして、調光信号が不揮発性の記憶部４３に記憶されている予め設定された調光率（例えば２４％）を上回るときには、当該調光信号を調光信号出力部４１に送出する。調光信号出力部４１は、当該調光信号を点灯装置１１に出力する。点灯装置１１は、調光信号の調光率で蛍光ランプ１０を点灯させる。これにより、照明エリア１２は、目標照度で照明される。
【００６２】
そして、制御端末器７の制御部４０は、演算生成した調光信号が予め設定された調光率（例えば２４％）以下のときには、リレー３をオフさせるリレーオフ信号をＯＮ／ＯＦＦ信号出力部４２に送出する。ＯＮ／ＯＦＦ信号出力部４２は、リレーオフ信号に基づきリレー３のリレーコイルに駆動電圧を出力しない。これにより、リレー３がオフし、商用交流電源Ｖｓからの照明器具２の点灯装置１１への電力（電源）の供給が遮断され、蛍光ランプ１０は消灯する。そして、照明器具２で電力消費が行われなくなる。
【００６３】
照明エリア１２は、蛍光ランプ１０が予め設定された調光率（例えば２４％）以下の調光率で点灯されない分、照明器具２からの光出力が減少するので、照度が目標照度よりも低くなる。しかし、照明エリア１２に入射している外光が大きいと、例えば調光率２４％で点灯される照明器具２からの光出力がなくなっても、照明エリア１２での作業環境に大きな影響は与えないものと考えられる。
【００６４】
ここで、照明エリア１２の照度が目標照度よりも低くなって、照明エリア１２での作業等に支障が生じるようであれば、予め設定される調光率を低く、例えば１０％、５％に設定すればよい。これにより、蛍光ランプ１２が強制的に消灯されても、照明エリア１２の照度と目標照度との照度差が小さくなって違和感や不快感などが抑制される。
【００６５】
そして、照明エリア１２の照度が外光のみで目標照度となっていると、センサ装置４の照明制御装置２１から出力され、制御端末器７で受信される制御信号は、調光率０％の調光信号となる。調光率０％のときも、照明器具２への電力（電源）の供給が遮断され、蛍光ランプ１０は、強制的に消灯される。
【００６６】
また、調光操作装置５のつまみ５ａが操作され、または、リモコン装置２３からセンサ装置４の受信素子１８にワイヤレス信号（照明制御信号）が送信されて、照明器具２の光出力を変化させる制御信号が制御端末器７に受信されると、制御端末器７は、上述したセンサ装置４のときと同様に制御する。
【００６７】
そして、照明エリア１２に人が不在になり、センサ装置４の人感センサ１７が人体を検出しなくなると、所定時間後に照明器具２を消灯させる制御信号が照明制御装置２１から出力される。この照明器具２を消灯させる制御信号は、センサ装置４に対応する制御端末器７で受信される。
【００６８】
制御端末器７の制御部４０は、リレーオフ信号をＯＮ／ＯＦＦ信号出力部４２に出力し、ＯＮ／ＯＦＦ信号出力部４２は、リレーオフ信号に基づき駆動電圧を出力しなくなる。これにより、リレー３がオフして、商用交流電源Ｖｓからの照明器具２の点灯装置１１への電力（電源）の供給が遮断され、蛍光ランプ１０は消灯する。
【００６９】
上述したように、センサ装置４や調光操作装置５から出力されて制御端末器７に送信された制御信号による調光信号が予め設定された調光率以下のときに、センサ装置４や調光操作装置５に対応する照明エリア１２の照明器具２への電力（電源）の供給が遮断されるので、照明エリア１２毎に（照明器具２毎に）照明器具２の待機電力（消費電力）が削減される。したがって、照明制御システム１の消費電力が効率的に低減される。
【００７０】
次に、本発明の第２の実施形態について述べる。
【００７１】
図６は、本発明の第２の実施形態を示す照明制御システムのブロック図である。なお、図１と同一部分には、同一符号を付して説明は省略する。
【００７２】
図６に示す照明制御システム４５は、図１に示す照明システム１において、センサ装置４から出力された制御信号が伝送線８を介して直接的にセンサ装置４に対応する制御端末器７に送信されるように構成したものである。センサ装置４内に配設されている照明制御装置２１（制御部３２）は、制御信号を伝送線８に出力するように制御する主制御手段を構成している。
【００７３】
照明制御システム４５においても、図１に示す照明制御システム１と同様な作用、効果が得られる。
【図面の簡単な説明】
【００７４】
【図１】本発明の第１の実施形態を示す照明制御システムのブロック図。
【図２】同じく、センサ装置の斜視図。
【図３】同じく、照明制御装置のブロック図。
【図４】同じく、主制御装置のブロック図。
【図５】同じく、制御端末器のブロック図。
【図６】本発明の第２の実施形態を示す照明制御システムのブロック図。
【符号の説明】
【００７５】
１，４５…照明制御システム
２…照明器具
３…電源開閉手段としてのリレー
４…監視端末器としてのセンサ装置
５…監視端末器としての調光操作装置
６…主制御手段としての主制御装置
７…制御端末器
２１…主制御手段としての照明制御装置
【図１】
2006185601.tif 000003
【図２】
2006185601.tif 000004
【図３】
2006185601.tif 000005
【図４】
2006185601.tif 000006
【図５】
2006185601.tif 000007
【図６】
2006185601.tif 000008